(57)【要約】      （修正有）【課題】遊技者が所定の位置で腕を載置しながら長時間遊技を続けても腕が疲れにくく、かつ、安定的に支持可能であるリストレストを提供する。【解決手段】遊技機にて遊技を行う遊技者の腕Ｕを載置するためのリストレスト１であって、板状に形成される基板部６と、基板部６の上部に設けられた弾性ゲル層１０にて構成されるクッション部７とを備えた。【選択図】図２
0003142907.tif 000002
【実用新案登録請求の範囲】
【請求項１】
遊技機にて遊技を行う遊技者の腕を載置するためのリストレストであって、
板状に形成される基板部と、
前記基板部の上部に設けられた弾性ゲル層にて構成されるクッション部と、
を備えたことを特徴とするリストレスト。
【請求項２】
前記クッション部は、その表面の高さ位置が前後においてそれぞれ異なることを特徴とする請求項１に記載のリストレスト。
【請求項３】
前記クッション部の表面は、上方に向かって膨出する湾曲面を成すように形成されていることを特徴とする請求項１または２に記載のリストレスト。
【請求項４】
前記基板部には、前記リストレストを所定箇所に係止するための係止部が設けられていることを特徴とする請求項１ないし３のいずれかに記載のリストレスト。
【請求項５】
前記基板部と前記クッション部との間に配置される広告表示部を備え、
前記クッション部は透光性を有しており、該クッション部を通して前記広告表示部を視認可能としたことを特徴とする請求項１ないし４のいずれかに記載のリストレスト。
【請求項６】
前記基板部に、前記クッション部に向けて光を照射可能な発光体を設けたことを特徴とする請求項１ないし５のいずれかに記載のリストレスト。
【考案の詳細な説明】
【技術分野】
【０００１】  本考案は、遊技機の下方から後方側に向けて延設される膳板上で使用されるリストレストに関する。
【背景技術】
【０００２】  従来、パチンコ球収納用球箱（玉箱）の左右側部に形成された取手のうち、右側の取手の上面を遊技者の手が打球ハンドル（ハンドル）を握りやすいように広く形成された手置き部に構成されており、この手置き部にはマット（リストレスト）が載置されているものがある（例えば、特許文献１参照）。【０００３】
【特許文献１】実用新案登録第３０９０９９４号公報（第６頁、第１図）
【考案の開示】
【考案が解決しようとする課題】
【０００４】  しかしながら、上記特許文献１に記載のマットにあっては、単に手置き部にクッション性を持たせるだけのものであるとともに、手置き部の位置を変更する際には玉箱ごと移動しなければならないという問題があった。【０００５】  本考案は、このような問題点に着目してなされたもので、遊技者が所定の位置で腕を載置しながら長時間遊技を続けても腕が疲れにくく、かつ、安定的に支持可能であるリストレストを提供することを目的としている。
【課題を解決するための手段】
【０００６】  前記課題を解決するために、本考案の請求項１に記載のリストレストは、
遊技機にて遊技を行う遊技者の腕を載置するためのリストレストであって、
板状に形成される基板部と、
前記基板部の上部に設けられた弾性ゲル層にて構成されるクッション部と、
を備えたことを特徴としている。
この特徴によれば、板状の基板部により上部のクッション部が安定的に支持されるとともに、例えば玉箱や所定の手置き台の上面等に安定的に載置して使用することができる。【０００７】  本考案の請求項２に記載のリストレストは、請求項１に記載のリストレストであって、
前記クッション部は、その表面の高さ位置が前後においてそれぞれ異なることを特徴としている。
この特徴によれば、遊技機の機種に応じてリストレストの前後の向きを変えることで、腕を載置する高さ位置を簡単に変更することができる。【０００８】  本考案の請求項３に記載のリストレストは、請求項１または２に記載のリストレストであって、
前記クッション部の表面は、上方に向かって膨出する湾曲面を成すように形成されていることを特徴としている。
この特徴によれば、クッション部を構成する弾性ゲル層を通過する光の屈折によって、広告表示部が拡大表示された状態で視認することができるため、広告を見やすくなる。【０００９】  本考案の請求項４に記載のリストレストは、請求項１ないし３のいずれかに記載のリストレストであって、
前記基板部には、前記リストレストを所定箇所に係止するための係止部が設けられていることを特徴としている。
この特徴によれば、リストレストが不要な場合、例えば遊技機と遊技機との間に設けられるスペース等に設けたフック等に係止部を係止しておくことができるため、遊技の邪魔になることがない。【００１０】  本考案の請求項５に記載のリストレストは、請求項１ないし４のいずれかに記載のリストレストであって、
前記基板部と前記クッション部との間に配置される広告表示部を備え、
前記クッション部は透光性を有しており、該クッション部を通して前記広告表示部を視認可能としたことを特徴としている。
この特徴によれば、広告表示部がクッション部により保護されるため、広告表示部に対するいたずら等が防止される。【００１１】  本考案の請求項６に記載のリストレストは、請求項１ないし５のいずれかに記載のリストレストであって、
前記基板部に、前記クッション部に向けて光を照射可能な発光体を設けたことを特徴としている。
この特徴によれば、透明なクッション部を光により演出することができる。
【考案を実施するための最良の形態】
【００１２】  本考案に係るリストレストを実施するための最良の形態を実施例に基づいて以下に説明する。
【実施例】
【００１３】  本考案の実施例を図面に基づいて説明すると、先ず図１は、本考案の実施例におけるリストレストが玉箱に載置された状態を示す斜視図であり、図２（ａ）は、リストレストの平面図であり、図２（ｂ）は、図２（ａ）のＡ−Ａ断面図であり、図３（ａ）は、リストレストが玉箱に載置された状態を示す側面図であり、図３（ｂ）は、リストレストが玉箱に載置された状態を示す側面図であり、図４（ａ）は、リストレストが手置き台に載置された状態を示す側面図であり、図４（ｂ）は、リストレストが手置き台に載置された状態を示す側面図であり、図５は、リストレストの不使用状態を示す図である。以下、図２（ａ）、図２（ｂ）、図４（ａ）、図４（ｂ）の紙面右側をリストレストの正面側として説明する。【００１４】  図１の符号１は、本考案のリストレストである。このリストレスト１は、図１に示すように、遊技場内の本実施例における遊技機としてのパチンコ遊技機２の下方から、パチンコ遊技機２を操作して遊技を行う使用者側に向かって突設される膳板３に載置された玉箱４の上面端縁部に載置されており、パチンコ遊技機２のハンドル５を握る使用者の腕Ｕが上方から載置されることで、使用者の腕Ｕにかかる負荷を軽減している（図３（ａ）参照）。【００１５】  図２（ａ）及び図２（ｂ）に示すように、このリストレスト１は、板状に形成された基板部６と、基板部６の上部に設けられるクッション部７と、基板部６とクッション部７間に配置される広告表示部８と、から構成されている。【００１６】  基板部６は、滑り止め特性と透光性を有するアクリル樹脂やポリエチレン等の樹脂材により構成されており、形状は平面視略流体形（平面視略三角形状）に形成されているとともに、クッション部７の周囲から周縁が外方に張り出すように設けられている。また、基板部６の前端には、本実施例における係止部としての係止孔９が上下方向に穿設されている。【００１７】  クッション部７は、弾性を有するウレタンゲル等により形成された弾性ゲル層１０によって構成されている。また、図２（ａ）に示すように、弾性ゲル層１０の形状は、基板部６を同じく平面視略流体形であり、大きさは、基板部６の平面視よりも小さく形成されている。【００１８】  そして、図２（ｂ）に示すように、広告表示部８は、広告が印刷された表示面を上方に向けて基板部６の上面に載置され、クッション部７が基板部６の上面に載置されることで、基板部６とクッション部７間に挟持される。【００１９】  更に、基板部６とクッション部７は、ウレタン等の樹脂材によって構成された外カバー１２によって被覆される。この外カバー１２は、基板部６の周端縁部までを被覆した後に熱溶着等の手段で基板部６の終端縁部に溶着されることによって、基板部６とクッション部７を一体に囲繞している。基板部６とクッション部７は、外カバー１２によって一体的に囲繞されることで、基板部６でのクッション部７及び広告表示部８の載置位置がずれないように固定されている。尚、基板部６に載置されたクッション部７は、図２（ｂ）に示すように、上下方向の最頂部Ｐが後方に配置されているため、クッション部７の表面高さ位置は前後でそれぞれ異なっている。【００２０】  更に尚、上��したクッション部７及び外カバー１２は、透光性を有しており、図２（ａ）に示すように、使用者はクッション部７及び外カバー１２を介して広告表示部８を視認可能となっている。また、本実施例ではクッション部７と基板部６で広告表示部８を挟持しているが、例えば基板部６の上面に本実施例における発光体としてのホログラム箔を貼り付けることで、広告表示部８を演出することができる。【００２１】  また、上述のリストレスト１は、使用者が操作するパチンコ遊技機２のハンドル５のパチンコ遊技機２から使用者側への突出長さによって、リストレスト１が玉箱４に載置される向きを変更することで、使用者の腕Ｕがハンドル５を把持しやすいように支持することができる。【００２２】  詳しくは、図３（ａ）に示すように、ハンドル５がパチンコ遊技機２から使用者側に向かって突出長さＬ１で突出されている場合は、リストレスト１を、リストレスト１の前方側が使用者に対向するように玉箱４上、例えば玉箱４上端の角部や取手の上面等に載置する。このとき、リストレスト１の最頂部Ｐは、リストレスト１の後方側に位置しているので、使用者の腕Ｕは、リストレスト１の後方側で支持される。【００２３】  尚、基板部６は、前述したように略三角形状に形成されているため、例えば図１に示されるようにリストレスト１を玉箱４の角部に若干斜めに置いて使用する際に、玉箱４の角部における外方まで安定的に支持されるばかりか、玉箱４の内側に基板部６が大きく張り出すことがないので、パチンコ遊技機２の下皿から排出されたパチンコ玉を貯留する際や、貯留玉を取り出す際に邪魔になることがない。【００２４】  更に、図３（ｂ）に示すように、ハンドル５がパチンコ遊技機２から使用者側に突出長さＬ１よりも長い突出長さＬ２で突出されている場合には、リストレスト１を前後反転し、前方側がパチンコ遊技機２に対向するように玉箱４上に載置する。このとき、リストレスト１の後方側である最頂部Ｐ近傍で使用者の腕Ｕが支持されることにより、ハンドル５がパチンコ遊技機２から突出長さＬ１で使用者側に突出されている場合よりも使用者側で、使用者の腕Ｕが支持される。【００２５】  尚、リストレスト１は玉箱４に限らず、膳板３上面に取り付けられて使用者の腕Ｕを支持する手置き台１３に載置して使用することもできる。詳しくは、図４（ａ）及び図４（ｂ）に示すように、吸盤１４によって膳板３に吸着した手置き台１３の上端部である載置面１５にリストレスト１を載置することで、使用者の腕Ｕを支持する。【００２６】  また、図４（ａ）に示すように、ハンドル５がパチンコ遊技機２から使用者側に向かって突出長さＬ１で突出されている場合は、手置き台１３は膳板３のパチンコ遊技機２側に吸盤１４で取り付けられており、図４（ｂ）に示すように、ハンドル５がパチンコ遊技機２から使用者側に向かって突出長さＬ２で突出されている場合は、ハンドル５がパチンコ遊技機２から使用者側に向かって突出長さＬ１で突出されている場合よりも、膳板３の使用者側に移動距離Ｌ３だけ移動した箇所に吸盤１４を取り付ける。【００２７】  このとき、リストレスト１は、使用者の腕Ｕの、ハンドル５がパチンコ遊技機２から使用者側に向かって突出長さＬ１で突出されている場合と比較して移動距離Ｌ３だけ移動した箇所を支持する。【００２８】  更に、図５に示すように、使用者がリストレスト１を使用しない場合には、例えばパチンコ遊技機２の側方（本実施例では台間スペース）に設けたフック１６にリストレスト１の係止孔９を係止することで、リストレスト１を吊持する。尚、フック１６には、コイル状に形成された伸縮自在なワイヤー１７の一端が取り付けられており、ワイヤー１７のもう一端は、リストレスト１の係止孔９に取り付けられている。このため、リストレスト１は、ワイヤー１７の伸縮範囲での使用に限定されているので、盗難や紛失を防止することができる。【００２９】  また、ワイヤー１７は伸縮自在なので、使用の際には手前側に引き出せばコイル部が伸張してそのまま使用することができるとともに、非使用時にはワイヤー１７がコンパクトに収縮されて邪魔になることがない。【００３０】  以上説明したように、本実施例のリストレスト１にあっては、板状に形成される基板部６と、基板部６の上部に設けられた弾性ゲル層１０にて構成されるクッション部７と、を備えているので、板状の基板部６により上部のクッション部７が安定的に支持されるとともに、例えば玉箱４や所定の手置き台１３の上面等に安定的に載置して使用することができる。【００３１】  また、クッション部７は、その表面の高さ位置が前後においてそれぞれ異なっているので、パチンコ遊技機２の機種に応じてリストレスト１の前後の向きを変えることで、腕Ｕを載置する高さ位置を簡単に変更することができる。【００３２】  更に、リストレスト１の前後の向きを変えることで、使用者の腕Ｕを載置する前後位置はそのままに、リストレスト１が使用者の腕Ｕを載置する高さ位置のみを変更することができるので、膳板３の上面からのハンドル５の高さ位置が異なるパチンコ遊技機２の機種間であっても、パチンコ遊技機２の機種に応じて使用者の腕Ｕを載置する高さ位置を変更することができる。【００３３】  また、クッション部７の表面は、上方に向かって膨出する湾曲面を成すように形成されているので、クッション部７を構成する弾性ゲル層１０を通過する光の屈折によって、広告表示部８が拡大表示された状態で視認することができるため、広告を見やすくなる。【００３４】  また、基板部６には、リストレスト１を所定箇所に係止するための係止孔９が設けられているので、リストレスト１が不要な場合、例えばパチンコ遊技機２とパチンコ遊技機２との間に設けられる台間スペース等に設けたフック１６等に係止孔９を係止しておくことができるため、遊技の邪魔になることがない。【００３５】  また、基板部６とクッション部７との間に広告表示部８を配置し、透光性を有するクッション部７を通して広告表示部８を視認可能としたことで、広告表示部８の表示面がクッション部７により保護されるため、広告表示部８に対するいたずら等が防止される。【００３６】  尚、本実施例では、パチンコ遊技機２とパチンコ遊技機２との間に設けられる台間スペースに係止していたが、このようなフック１６は、例えば遊技者の遊技に邪魔にならない箇所であれば、台間スペース以外の遊技島の所定箇所に設けてもよい。【００３７】  以上、本考���の実施例を図面により説明してきたが、具体的な構成はこれら実施例に限られるものではなく、本考案の要旨を逸脱しない範囲における変更や追加があっても本考案に含まれる。【００３８】  例えば、本実施例では、基板部６とクッション部７間に広告表示部８を載置したが、基板部６内に電池等のバッテリーと発光体としてのＬＥＤ（発光ダイオード）等を埋め込み、ＬＥＤを発光させることでクッション部７を演出するようにしてもよい。また、その場合は、広告表示部８が透光性を有するようにすることで、広告表示部８の広告を使用者に視認しやすくすることができる。更に、バッテリーの代わりに圧電素子をＬＥＤに接続し、使用者の腕Ｕがリストレスト１に載置されたことによってＬＥＤが発光するようにしてもよく、このようにすれば、遊技者がリストレスト１を使用するときにだけ発光させることができるので、バッテリーを長持ちさせることができる。【００３９】  また、前記実施例では、クッション部７は卵型に形成されているが、角状に形成されていてもよい。【００４０】  また、リストレスト１の平面視形状は任意であり、種々に変更可能である。
【図面の簡単な説明】
【００４１】
【図１】本考案の実施例におけるリストレストが玉箱に載置された状態を示す斜視図である。
【図２】（ａ）は、リストレストの平面図であり、（ｂ）は、図２（ａ）のＡ−Ａ断面図である。
【図３】（ａ）は、リストレストが玉箱に載置された状態を示す側面図であり、（ｂ）は、リストレストが玉箱に載置された状態を示す側面図である。
【図４】（ａ）は、リストレストが手置き台に載置された状態を示す側面図であり、（ｂ）は、リストレストが手置き台に載置された状態を示す側面図である。
【図５】リストレストの不使用状態を示す図である。
【符号の説明】
【００４２】１                リストレスト
２                パチンコ遊技機
３                膳板
４                玉箱
５                ハンドル
６                基板部
７                クッション部
８                広告表示部
９                係止孔（係止部）
１０              弾性ゲル層
１２              外カバー
１３              手置き台
１４              吸盤
１５              載置面
１６              フック
１７              ワイヤー
Ｕ                腕
Ｐ                最頂部
【図１】
0003142907.tif 000003
【図２】
0003142907.tif 000004
【図３】
0003142907.tif 000005
【図４】
0003142907.tif 000006
【図５】
0003142907.tif 000007